(57)【要約】【課題】フレームにプリント写真立てまたは電子写真立てを選択的に接合できる写真立てを提供する。【解決手段】プリント写真立てに変更可能な電子写真立て１であって、フレーム１１および電子写真立て１３を備える。フレーム１１は窓１１１を有し、スライド溝１２１及び内スライド溝１２２からなる位置決め構造１２が設けられる。電子写真立て１３は薄板１４および表示面１３１を備える。表示面１３１はフレーム１１の窓１１１に対応する。薄板１４は所定の厚さを有し、電子写真立て１３の周面に環状に設置される。薄板１４によって電子写真立て１３はフレーム１１の位置決め構造１２のスライド溝１２１内に挿入、嵌合され、位置決め構造１２の内スライド溝１２２によって、フレーム１１にプリント写真立ての背面板２を接合することができる。【選択図】図１
0003149405.tif 000002
【実用新案登録請求の範囲】
【請求項１】
フレーム、電子写真立ておよび折り畳みスタンドを備え、
前記フレームは、窓を有する枠体であって、スライド溝からなる位置決め構造が設けられ、
前記電子写真立ては、表示面および薄板を備え、
前記表示面は前記フレームの窓に対応し、
前記薄板は、前記電子写真立ての周面に環状に設置され、そのサイズ形状及び厚さは、前記位置決め構造に対応して、その厚さは前記スライド溝に相当し、
前記薄板によって、前記電子写真立ては前記フレームの位置決め構造のスライド溝内に嵌合され、
前記スタンドは、前記電子写真立ての背面に設置されて、その開度により前記電子写真立ての支持角度の調整に使用されることを特徴とするプリント写真立てに変更可能な電子写真立て。
【請求項２】
前記位置決め構造は、スライド溝および内スライド溝を備え、
前記スライド溝は、前記フレームの内縁に位置し、前記スライド溝の開口部分は前記フレームの一側辺に位置し、前記電子写真立ての薄板は前記開口部分から前記スライド溝内に嵌合され、
前記内スライド溝は、前記フレームの内縁に位置し、前記内スライド溝の開口部分は前記スライド溝の開口部分と同じ側辺に位置し、プリント写真立ての背面板および少なくとも一枚のプリント写真を設置可能としたことを特徴とする請求項１記載のプリント写真立てに変更可能な電子写真立て。
【請求項３】
前記位置決め構造は、前記フレームの周縁に位置し、前記フレームの窓から除々に縮小された階段状の凹溝であって、少なくとも一つの爪部を備え、前記収容溝に前記電子写真立ての薄板またはプリント写真立ての背面板が嵌合され、前記電子写真立ての薄板またはプリント写真立ての背面板は前記爪部によって前記収容溝内に固定されることを特徴とする請求項１記載のプリント写真立てに変更可能な電子写真立て。
【請求項４】
前記薄板の所定の厚さは５ｍｍ未満であり、前記電子写真立ての表示面周囲には所定の厚さの保護板が設けられて前記表示面を保護し、前記電子写真立ては更に、
デジタル画像を表示する表示モジュールと、
前記表示モジュールが固定される枠体と、
前記デジタル画像の保存および前記表示モジュールに再生されるデジタル画像の提供に使用されるメモリモジュールと、
前記表示モジュールへのデジタル画像の表示を制御する制御モジュールと、
前記枠体の所定の位置に設置され、制御信号を入力して前記制御モジュールを操作する入力モジュールと、
オーディオ信号を出力するオーディオ出力モジュールと、
前記電子写真立てが必要とする電源を提供する電源モジュールと、を備えることを特徴とする請求項１記載のプリント写真立てに変更可能な電子写真立て。
【考案の詳細な説明】
【技術分野】
【０００１】
本考案は、プリント写真立てに変更可能な電子写真立てに関し、特に、フレームを備え、電子写真立ての周囲から延長された薄板をフレームの位置決め構造に嵌合する構造によって、電子写真立てをフレームから取り外し、フレームにプリント写真立ての背面板を接合させることができるプリント写真立てに変更可能な電子写真立てに関する。
【背景技術】
【０００２】
デジタル技術の進歩に伴い、カメラ撮影もデジタル化がなされ、従来のフィルムによる撮影は減少している。また、デジタル化された機材も日進月歩であり、撮影に関する周辺製品も従来とは異なっている。
【０００３】
プリント写真立ては、従来のフィルムを現像して製作されたプリント写真に適用され、フレームおよびガラス板によって写真を保護し、観賞するのに使用される。しかし、一つの写真立てには一枚の写真しか陳列することができず、複数の写真を同時に陳列したい場合は、大きな写真立てまたは複数の写真立てが必要となる。現在、デジタルカメラが世に現れ、その周辺製品も多元化され、様々な種類の電子写真立てが使用されてデジタル画像の展示が行なわれている。
【０００４】
デジタル画像を表示する写真立てにプリント写真を展示したい場合、フレームから電子写真立てを取り外し、フレームにプリント写真立ての背面板を接合することによってその目的が達成される。
【先行技術文献】
【特許文献】
【０００５】
【特許文献１】特開平１０−７１０６６号公報
【特許文献２】特開平１０−８３１４６号公報
【考案の概要】
【考案が解決しようとする課題】
【０００６】
本考案の第１の目的は、電子写真立てに設置された薄板をフレームの位置決め構造内に嵌合する構造によって、フレームに電子写真立てまたはプリント写真立ての背面板を選択的に接合することができるプリント写真立てに変更可能な電子写真立てを提供することにある。
【課題を解決するための手段】
【０００７】
上述の課題を解決するために、本考案は、プリント写真立てに変更可能な電子写真立てを提供するものであり、フレームおよび電子写真立てを備える。フレームは窓を有し、位置決め構造が設けられる。電子写真立ては薄板および表示面を備える。表示面はフレームの窓に対応する。薄板は所定の厚さを有し、電子写真立ての周面に環状に設置される。薄板によって、電子写真立てをフレームの位置決め構造内に嵌設することができ、位置決め構造によって、フレームにプリント写真立ての背面板を接合することができる。
【考案の効果】
【０００８】
フレームに設けられた位置決め構造によって、フレームに電子写真立てまたはプリント写真立てを選択的に接合することができる。
【図面の簡単な説明】
【０００９】
【図１】本考案のプリント写真立てに変更可能な電子写真立ての第１の実施例を示す分解斜視図である。
【図２】本考案のプリント写真立てに変更可能な電子写真立ての第１の実施例のフレームと電子写真立てとの接合状態を示す斜視図である。
【図３】本考案のプリント写真立てに変更可能な電子写真立ての第１の実施例のフレームとプリント写真立てとの接合状態を示す斜視図である。
【図４】本考案のプリント写真立てに変更可能な電子写真立ての第１の実施例のフレームと電子写真立てとの接合状態を示す断面図である。
【図５】本考案のプリント写真立てに変更可能な電子写真立ての第１の実施例のフレームとプリント写真立ての背面板との接合状態を示す断面図である。
【図６】本考案のプリント写真立てに変更可能な電子写真立ての第２の実施例を示す分解斜視図である。
【図７】本考案のプリント写真立てに変更可能な電子写真立ての第２の実施例の爪部の開閉動作を示す模式図である。
【図８】本考案のプリント写真立てに変更可能な電子写真立ての第２の実施例のフレームと電子写真立てとの接合状態を示す斜視図である。
【図９】本考案のプリント写真立てに変更可能な電子写真立ての第２の実施例のフレームとプリント写真立ての背面板との接合状態を示す斜視図である。
【図１０】本考案のプリント写真立てに変更可能な電子写真立ての第２の実施例のフレームと電子写真立てとの接合状態を示す断面図である。
【図１１】本考案のプリント写真立てに変更可能な電子写真立ての第２の実施例のフレームとプリント写真立ての背面板との接合状態を示す断面図である。
【図１２】本考案のプリント写真立てに変更可能な電子写真立ての第３の実施例のフレームと電子写真立ての背面板との接合状態を示す斜視図である。
【図１３】本考案のプリント写真立てに変更可能な電子写真立ての第４の実施例を示す分解斜視図である。
【考案を実施するための形態】
【００１０】
本考案の目的、特徴および効果を示す実施例を図に沿って詳細に説明する。
【００１１】
図１は、本考案のプリント写真立てに変更可能な電子写真立ての第１の実施例を示す分解斜視図である。プリント写真立てに変更可能な電子写真立て１は、フレーム１１、位置決め構造１２、電子写真立て１３、薄板１４および被覆板１５を備える。フレーム１１は、窓１１１を有し、位置決め構造１２が設けられる。位置決め構造１２はスライド溝１２１および内スライド溝１２２を備える。スライド溝１２１および内スライド溝１２２はそれぞれフレーム１１の内縁部分１１２に位置し、内スライド溝１２２はスライド溝１２１と被覆板１５との間に位置する。
【００１２】
フレーム１１に電子写真立て１３を接合していないとき、内スライド溝１２２にはプリント写真立ての背面板２および少なくとも一枚のプリント写真３を設置し、それによってプリント写真立てとなり、プリント写真３はフレーム１１の窓１１１から表示される。
薄板１４は電子写真立て１３の周面に環状に設置され、薄板１４の所定の厚さｄは電子写真立て１３の厚さＤよりも薄く、同時に、薄板１４の所定の厚さｄはスライド溝１２１の溝幅に対応する。また、背面板２の外縁のサイズ、形状および厚さは薄板１４の外縁のサイズ、形状および厚さと同等とする。
【００１３】
図２は、本考案のプリント写真立てに変更可能な電子写真立ての第１の実施例のフレームと電子写真立てとの接合状態を示す斜視図である。図３は、本考案のプリント写真立てに変更可能な電子写真立ての第１の実施例のフレームとプリント写真立てとの接合状態を示す斜視図である。
【００１４】
スライド溝１２１および内スライド溝１２２は、共同の開口部分１１３を有し、開口部分１１３はフレーム１１の一側辺１１４に位置し、電子写真立て１３の薄板１４が開口部分１１３からスライド溝１２１内に挿入、嵌設され、電子写真立て１３の表示面１３１はフレーム１１の窓１１１に対応する。
【００１５】
被覆板１５は、フレーム１１の窓１１１上を被覆し、接着する方式によってフレーム１１の第１の側面１１５上に接合し、電子写真立て１３の表示面１３１に対応して表示面１３１が外力を受けて損傷を受けるのを防止する。本実施例において、被覆板１５はガラス、プラスチックまたはアクリルなどの透明材質から構成することができる。プリント写真立てに変更可能な電子写真立て１は、更にスタンド１６を備える。スタンド１６は電子写真立て１３の背面１３２上に設置され、電子写真立て１３の支持角度の調整に使用され、プリント写真立てに変更可能な電子写真立て１の視野角を調整する。
【００１６】
電子写真立て１３は、薄板１４がフレーム１１の位置決め構造１２に挿入、嵌設されることによって接合されるので、様々な色、図案およびデザインのフレーム１１と組み合わせることができ、それによって様々な視覚効果を達成でき、電子写真立て１３の外観を変化させることができる。
【００１７】
図４は、本考案のプリント写真立てに変更可能な電子写真立ての第１の実施例のフレームと電子写真立てとの接合状態を示す断面図である。電子写真立て１３の表示面１３１周囲には、所定の厚さに突出した保護部１７が設けられ、保護部１７は被覆板１５と表示面１３１との間に位置し、表示面１３１を外力による押圧から保護する。電子写真立て１３は、更に表示モジュール１３３、枠体１３４、メモリモジュール１３５、制御モジュール１３６、入力モジュール１３７、オーディオ出力モジュール１３８および電源モジュール１３９を備える。
【００１８】
表示モジュール１３３は、枠体１３４上に設置され、枠体１３４によって表示モジュール１３３は内部に固定される。同時に、表示モジュール１３３はフレーム１１の窓１１１に対応し、デジタル画像が電子写真立て１３の表示モジュール１３３上に表示される。表示モジュール１３３はＬＣＤパネルとすることができる。
【００１９】
メモリモジュール１３５は、表示モジュール１３３に表示および再生されるデジタル画像を提供する。メモリモジュール１３５は書き換え可能な不揮発性メモリ（Ｎｏｎ‐Ｖｏｌａｔｉｌｅ  Ｍｅｍｏｒｙ）、フラッシュメモリ（Ｆｌａｓｈ  Ｍｅｍｏｒｙ）、ＥＰＲＯＭ（Ｅｌｅｃｔｒｉｃ  Ｐｒｏｇｒａｍｍａｂｌｅ  Ｒｅａｄ  Ｏｎｌｙ  Ｍｅｍｏｒｙ）またはマイクロハードディスク（Ｍｉｃｒｏ‐ＨＤ）とすることができる。
【００２０】
制御モジュール１３６は、表示モジュール１３３を制御してデジタル画像を表示したり、メモリモジュール１３５に保存したりする。
【００２１】
入力モジュール１３７は、枠体１３４の所定の位置に設置され、制御モジュール１３６を通じて表示モジュール１３３を操作することによって表示画像の切換を行なう。また、入力モジュール１３７は更に複数のボタン１３７１を備え、本実施例において、ボタン１３７１は電子写真立て１３の背面１３２上に設置される。
【００２２】
オーディオ出力モジュール１３８は、オーディオ信号を出力し、電子写真立て１３の背面１３２上に設置され、オーディオ出力モジュール１３８によって音楽または音声を再生することによって、電子写真立て１３は映像音声再生機能を付与する。
【００２３】
電源モジュール１３９は、電子写真立て１３が必要な電源を供給する。電源モジュール１３９は、リチウム電池、ニッケル水素電池、オキシライド電池、マンガン電池、ニッケルカドミウム電池、燃料電池または充電電池とする。電源モジュール１３９はＵＳＢポートまたはアダプタを通じて外部と接続して充電を行なう。また、本考案の電子写真立て１３に接続装置（図示せず）を設置することにより、外部装置と接続して外部からデジタル画像資料を受信するようにすることができる。これらの接続装置は、カードリーダ、無線ネットワークモジュール、ＵＳＢポート、ネットワーク接続ポートなどの公知の接続装置を採用することが出来る。
【００２４】
図５は、本考案のプリント写真立てに変更可能な電子写真立ての第１の実施例のフレームとプリント写真立ての背面板との接合状態を示す断面図である。フレーム１１に電子写真立て１３が接合されていないとき、内スライド溝１２２内にはプリント写真立ての背面板２を設置することができ、プリント写真３を被覆板１５と背面板２との間に挟設し、フレーム１１の窓１１１に対応させる。即ち、内スライド溝１２２内にプリント写真立ての背面板２を設置して、フレーム１１にプリント写真立てに替えて選択的に設置することができる。
【００２５】
一般の電子写真立て内部には、表示モジュール、メモリモジュール、制御モジュールおよび電源モジュールなどの部材が設けられるので、本体の厚さＤは少なくとも８ｍｍより大きい。しかし、一般のプリント写真立ての背面板２の厚さは０．５〜５ｍｍであり、本体の厚さＤが８ｍｍより大きい電子写真立て１３を一つのフレーム１１で共用することはできない。そこで、本考案においては、電子写真立て１３外周縁に厚さｄが５ｍｍ未満の薄板１４を増設し、電子写真立て１３の外周縁の薄板１４の厚さをプリント写真立ての背面板２の厚さに近似させて一つのフレーム１１に共用するという目的を達成する。また、本考案のフレーム１１の位置決め構造１２に独特なスライド溝１２１および内スライド溝１２２が設置されているのは、電子写真立て１３の表示面１３１周囲に所定の厚さ突出した保護板１７が設けられているためである。従って、スライド溝１２１および内スライド溝１２２の設計によって、電子写真立て１３の外周縁の薄板１４をスライド溝１２１内に設置するとき、保護板１７は被覆板１５と表示面１３１との間に位置し、表示面１３１が外力を受けて押圧されるのを防止する。同時に、プリント写真立ての背面板２は表示面を保護する必要がないので、内スライド溝１２２内に直接挿入することができ、プリント写真３を被覆板１５内側面に貼合させることができる。
【００２６】
以下に示す本考案のその他の実施例において、大部分の部材は前述の実施例の部材と同一または類似したものであるので、同一の部材については直接同一の名称および符号を使用し、類似する部材については同一の名称を使用し、本来の符号の後ろにアルファベットをつけて区別を行なう。
【００２７】
図６は、本考案のプリント写真立てに変更可能な電子写真立ての第２の実施例を示す分解斜視図である。本実施例のプリント写真立てに変更可能な電子写真立て１ａの位置決め構造１２ａは、収容溝１２３および少なくとも一つの回動式の爪部１２４を備える。収容溝１２３はフレーム１１の周縁に位置し、階段状の凹溝であり、電子写真立て１３の薄板１４をその中に嵌合させることができ、フレーム１１の第１の側面１１５と相対する第２の側面１１６の所定の位置に設けられた爪部１２４によって収容溝１２３内に嵌合された薄板１４またはプリント写真立ての背面板２を固定する。また、本実施例において、被覆板１５ａは、木材、プラスチック、金属、陶磁器または皮革などの非透明材質から構成することができる。被覆板１５ａの中央にはサイズが電子写真立て１３の表示面１３１と略同一の開口（符号なし）が開設され、被覆板１５ａを通じて電子写真立て１３に表示されるデジタル画像を観賞することができる。
【００２８】
図７は、本考案のプリント写真立てに変更可能な電子写真立ての第２の実施例の爪部の開閉動作を示す模式図である。爪部１２４はフレーム１１の第２の側面１１６上に回動可能に設置され、本実施例において、爪部１２４は第２の側面１１６の相対する位置に設置される。爪部１２４は開閉し、薄板１４または背面板２が収容溝１２３内に固定されたとき、爪部１２４の一端を回転軸として収容溝１２３の方向に適当な角度回転させ、薄板１４または背面板２を収容溝１２３内に係合固定する。取り外すときは、爪部１２４を収容溝１２３の外側の方向に回転させ、爪部１２４を収容溝１２３上方から離脱させ、電子写真立て１３の薄板１４またはプリント写真立ての背面板２を収容溝１２３から取り外す。
【００２９】
図８は、本考案のプリント写真立てに変更可能な電子写真立ての第２の実施例のフレームと電子写真立てとの接合状態を示す斜視図である。図９は、本考案のプリント写真立てに変更可能な電子写真立ての第２の実施例のフレームとプリント写真立ての背面板との接合状態を示す斜視図である。
【００３０】
図８に示すように、プリント写真立てに変更可能な電子写真立て１ａのフレーム１１の収容溝１２３に電子写真立て１３が収容され、爪部１２４によって薄板１４が収容溝１２３内に固定される。
【００３１】
図９に示すように、フレーム１１に本考案のプリント写真立てに変更可能な電子写真立て１ａの電子写真立て１３が接合されていないとき、収容溝１２３内にプリント写真立ての背面板２を設置し、フレーム１１上の爪部１２４によって収容溝１２３内に嵌合された背面板２を固定することができる。
【００３２】
図１０は、本考案のプリント写真立てに変更可能な電子写真立ての第２の実施例のフレームと電子写真立てとの接合状態を示す断面図である。図１１は、本考案のプリント写真立てに変更可能な電子写真立ての第２の実施例のフレームとプリント写真立ての背面板との接合状態を示す断面図である。
【００３３】
プリント写真立てに変更可能な電子写真立て１ａの収容溝１２３にプリント写真立ての背面板２または電子写真立て１３の薄板１４を選択的に設置し、爪部１２４によって電子写真立て１３またはプリント写真立ての背面板２を収容溝１２３内に固定することによって、プリント写真立てまたは電子写真立てに随時変更することができる。
【００３４】
図１２は、本考案のプリント写真立てに変更可能な電子写真立ての第３の実施例のフレームと電子写真立ての背面板との接合状態を示す斜視図である。本実施例において、本考案のプリント写真立てに変更可能な電子写真立て１ｂは被覆板を有さず、フレーム１１ｂと電子写真立て１３とが接合される。フレーム１１ｂの位置決め構造１２ｂの収容溝１２３の内側部分（即ち、窓１１１に近い周縁部分）には内縁辺１１７および凹縁１１８が設置され、内縁辺１１７、凹縁１１８および収容溝１２３によって階段状の凹溝構造が構成される。内縁辺１１７のサイズは電子写真立て１３の保護板１７の外周縁のサイズに相当し、電子写真立て１３の薄板１４をフレーム１１ｂの収容溝１２３内に位置決めするとき、保護板１７がちょうど内縁辺１１７の間に嵌合され、プリント写真立てに変更可能な電子写真立て１ｂの正面からの外観に更に一体感を持たせることができる。
【００３５】
図１３は、本考案のプリント写真立てに変更可能な電子写真立て１ｃの第４の実施例を示す分解斜視図である。第４の実施例において、プリント写真立てに変更可能な電子写真立て１ｃのフレーム１１ｄの位置決め構造１２ｂには一つのスライド溝１２１のみが設けられる。従って、電子写真立て１３の薄板１４およびプリント写真立ての背面板２の厚さはこのスライド溝１２１に符合し、何れもこのスライド溝１２１内に嵌設される。それによって、フレーム１１ｃと被覆板１５とが接合される面積（幅）は相対的に大きくなるので、両者間の接合強度を高めることができる。第４の実施例のプリント写真立てに変更可能な電子写真立て１ｃのその他の部材および構造は図１に示す実施例と略同一であるので、説明は行なわない。
【００３６】
以上の詳細な実施例は、本考案の応用可能な範囲を制限するものではなく、本考案の保護範囲は実用新案登録請求の範囲に示す技術およびそれと同等効果である変更によって示される範囲を主とする。本考案の実用新案登録請求の範囲に示す技術と同等効果である変更および修飾は、本考案の主旨を逸脱するものではなく、全て本考案の他の実施形態と見なすことができる。
【符号の説明】
【００３７】
１、１ａ、１ｂ、１ｃ  プリント写真立てに変更可能な電子写真立て
１１、１１ｂ、１１ｃ  フレーム
１１１  窓
１１２  内縁部分
１１３  開口部分
１１４  側辺
１１５  第１の側面
１１６  第２の側面
１１７  内縁辺
１１８  凹縁
１２、１２ａ、１２ｂ、１２ｃ  位置決め構造
１２１、１２１ｃ  スライド溝
１２２  内スライド溝
１２３  収容溝
１２４  爪部
１３  電子写真立て
１３１  表示面
１３２  背面
１３３  表示モジュール
１３４  枠体
１３５  メモリモジュール
１３６  制御モジュール
１３７  入力モジュール
１３７１  ボタン
１３８  オーディオ出力モジュール
１３９  電源モジュール
１４  薄板
１５、１５ａ  被覆板
１６  スタンド
１７  保護板
２  背面板
３  プリント写真
【図１】
0003149405.tif 000003
【図２】
0003149405.tif 000004
【図３】
0003149405.tif 000005
【図４】
0003149405.tif 000006
【図５】
0003149405.tif 000007
【図６】
0003149405.tif 000008
【図７】
0003149405.tif 000009
【図８】
0003149405.tif 000010
【図９】
0003149405.tif 000011
【図１０】
0003149405.tif 000012
【図１１】
0003149405.tif 000013
【図１２】
0003149405.tif 000014
【図１３】
0003149405.tif 000015